(57)【要約】      （修正有）【課題】どのようなキーでも使える、より高度な弦楽器の独習ができるシールを提供する。【解決手段】弦楽器の弦の下の指板上に、弦楽器演奏表示用のシール２，３，４を貼るもので、印刷表示が色分けした数字とＲ文字から成る。【効果】弦楽器の指板に覚えたいスケールのシールを貼って練習することにより、スケールの体得を今までより楽に短時間に習得できる。視覚と指の動きを同期化しながら学習できる容易性。メロディーやコードの構成を理解しやすくすることもできる。簡単な方法でだれでも学習の機会を得ることができる。【選択図】図１
2005141177.tif 000002
【特許請求の範囲】
【請求項１】
弦楽器の演奏時に弦楽器の弦の下の指板上に貼るシールであり、印刷表示が色分けした数字とＲであることを特徴とする弦楽器演奏表示用シール。
【請求項２】
弦楽器の演奏時に弦楽器の弦の下の指板上に貼るシールであり、印刷表示が色分けした数字とＲである弦楽器演奏表示用シールを貼ったことを特徴とするギター等の弦楽器。
【発明の詳細な説明】
【技術分野】
【０００１】  本発明は、弦楽器練習の技術及び楽譜の表示技術に関する。詳しくは指板に貼るシールを利用する弦楽器特にギターのスケール練習の技術に関する。
【背景技術】
【０００２】  楽譜の表示技術は、電子楽器での楽譜表示出力機能を利用がある。弦楽器ではシールを利用して練習させる提案も存在する。
従来の楽曲の演奏を表現する演奏情報に従って電子楽器を制御して自動演奏を行うせるシーケンサと呼ばれる演奏制御装置がある。またコンピュータで実行させるソフトウエアも各種存在している。この楽譜を電子化表示やシール化表示の提案はすでに存在した。指板上にシールを貼りギター演奏の音名を位置把握する弦楽器練習方法も公知化されている。【０００３】  シールを貼る提案は特許公開２００１−２１２８３４に開示されている。これは弦楽器の指板用音名表示シールである。演奏の選定の音名、すなわちＣＤＥＦＧＡＢを出す場合、指板上の音名の位置を容易かつ瞬時に確認できるためのシールである。指板上に直接シールを貼り音名表示する提案である。
特許公開平６−１９５０２６は音符を仮貼着用ラベルにする提案である。
特許公開平８−２４８８７４は色分けした楽譜音符で音楽学習をする提案である。
特許公開２００３−５７４３は色彩を用いて楽曲演奏の表示方法に関する提案である。【０００４】  従来の弦楽器特にギターの練習では、まずテキストを見てその配列を頭にいれ
もしくは照らし合わせながら心地よく聞こえるフレーズを練習していた。また、光学的に指板を順通りに光らす方法もあったが、あくまでプログラムされた曲を弾くためのものであって、自分のイマジネーションを含めたアドリブ技術の向上ができなかった。【０００５】
【特許文献１】  特許公開２００１−２１２８３４号公報
【特許文献２】  特許公開平８−２４８８７４号公報
【特許文献３】  特許公開平７−１８１９６２号公報
【特許文献４】  特許公開平６−１９５０２６号公報
【特許文献５】  特許公開２００３−５７４３号公報
【発明の開示】
【発明が解決しようとする課題】
【０００６】  従来のシールは基本的な絶対音で初心者向きであった。より高度な段階の独習できるシールを研究した。
本発明では、見ながら弾けるスケールシールを提案する。
和音に伴って楽器を弾くには使える音の配列を熟知していなくてはならない。この音の配列をスケールと呼ぶ。一般的にコードや音楽のジャンルによって弾ける音もしくは心地好く聞こえる音は決まっている。この決まった音の組み合わせによりメロディーハーモニーが構成されている。この使える音の配列がスケールである。【０００７】  特許公開２００１−２１２８３４に開示の弦楽器の指板用音名表示シールでは演奏の選定の音名、すなわちＣＤＥＦ  ＧＡＢを出す場合、指板上の音名の位置を容易かつ瞬時に確認できる。しかしながら、スケールの習得はできない。
これは演奏の選定の音名、すなわちＣＤＥＦ  ＧＡＢをの音名の位置を確認するシールである。これは音程の絶対値を習得するためのものである。スケール表示ができない。ギターなどに貼り見ながら弾けるスケールシールが望まれる。【０００８】  ギターなどの練習においては絶対音階を覚えたら相対音階の練習が必要である。相対音階の練習をシール貼りにより可能になることが求められる。
【課題を解決するための手段】
【０００９】  本発明の課題を解決するには、弦楽器の演奏時に弦楽器の弦の下の指板上に貼るシールの印刷表示を色別化に数字にすればよい。
色分け（スケールカラー）と数字（トニック音とテンション音）とＲ（ルート、主音）でシール表示すればよい。
すなわち、弦楽器の演奏時に弦楽器の弦の下の指板上に貼るシールの印刷表示を色分けした数字とＲにしてこれを弦楽器演奏表示用シールとすればよい。【００１０】  赤はペンタトニックスケールになり、赤＋青でブルーノートスケール、赤＋黄でメジャースケールとなる。これらの組み合わ甘の表示は中級者以上がアドリブやコード分解に使用する。
覚えようとするキーの主音の位置にＲを合わせて演奏する。従来の弦楽器演奏表示用シールで覚える絶対音階は中級以上では頭の中に入っている。中級以上では各キーごとに、アドリブ、ソロを練習する必要があり本発明のシール手段により容易にできる。
【発明の効果】
【００１１】  弦楽器の指板に覚えたいスケールのシールをを貼って練習することにより、スケールの体得を今までより楽に短時間に習得できる。視覚と指の動きを同期化しながら学習できる容易性。メロディーやコードの構成を理解しやすくすることもできる。簡単な方法でだれでも学習の機会を得ることができる。【００１２】  シールにすると、どんなギターでも使用可能で、初心者はスケールの意味を中級者以上は理論と技術の向上ができる。スケールを自分のものにできるか否かが大切である。多くの初心者は面倒で地味なのでここで挫折していた。または、意味を解せず中級以上のテクニックを身につけることができない。本発明のシールは色分けと番号付けによりペンタトニックスケール、ブルーノートスケール、メジャースケールを一度に習得できる。。また、これらの組み合わせの表示は中級者以上がアドリブやコード分解に使用できる。
【発明を実施するための最良の形態】
【００１３】  透明シール印刷表示は青丸に白ぬき文字、赤丸に白ぬき文字、黄丸に黒文字と赤丸に白ぬきでＲの文字にする。透明シールには、ネックの巾にフイットできるようにミシン目を入れ、そして縦にもカット線を入れ剥がしやすくする。ピンセットなどでシールを剥がしスケールのキーにシールのＲを合わせて順に貼れば練習演奏が実施できるようにする。
【実施例１】
【００１４】  図３において説明する。縦６５ミリメートル、横１８０ミリメートルの透明シールに直径５ミリメートルの丸を図のように印刷表示する。この表示用シール剥がせるように中央にミシン目と縦にカット線を入れる。
図に示すように青丸に白ぬき文字、赤丸に白ぬき文字、黄丸に黒文字と赤丸に白ぬきでＲの文字の表示にする。これを図２に示すように弦楽器の指板上に貼る。
印刷したスケールポジションを指板部分に貼り見ながら弾くことができる。
主音の位置にＲの文字を合わせ演奏する。視覚的要素により、演奏する際のコードに伴って弾くことができる。アドリブやソロの練習に役立つ。
弦楽器において、ネック部分の大きさ、フレット部分の間隔が若干変化するが並行移動で他のコードも覚えられる。
【産業上の利用可能性】
【００１５】  弦楽器の練習用具として利用できる。またギター演奏指導通信教育の教材になるので通信教育を盛んにできる。ギター販売における販促用品や景品などにも利用できる。
【図面の簡単な説明】
【００１６】
【図１】は弦楽器に本発明の透明シールを貼る説明正面図
【図２】は印刷表示の丸の説明図
【図３】は実施例透明シールの正面図
【図４】は使用方法の説明文と説明図
【符号の説明】
【００１７】  １    ギター
２    印刷表示で青丸に白抜きの文字を示す
３    印刷表示で赤丸に白抜きの文字を示す
４    印刷表示で黄丸に黒文字を示す。
２０  本発明実施例に係わる透明シール
３０  使用法説明図
【図１】
2005141177.tif 000003
【図２】
2005141177.tif 000004
【図３】
2005141177.tif 000005
【図４】
2005141177.tif 000006